(57)【要約】【課題】              卓球の初心者または手の握力の弱い、若しくは指に障害がある使用者においても、卓球を容易にそして有意義に行なえるよう、弱い力であっても安定してラケットを保持し、手首を曲げることなく腕の略延長状に打点が自然と配置できるので卓球の玉をラケットの打点で捉えやすい卓球用のラケットを提供する。【解決手段】          平板状の打球面の基端をグリップ部として構成した卓球用のラケットであって、グリップ部には、競技者の指が一指づつ挿入する複数の孔を設け、この孔はラケットの縦中心線上の一点を中心とした略円弧上に設けた構成とした。【選択図】          図４
2005312579.tif 000002
【特許請求の範囲】
【請求項１】
平板状の打球面の基端をグリップ部として構成した卓球用のラケットであって、
グリップ部には、競技者の指が略隙間無く若しくは若干の余裕をもって一指づつ挿入する複数の孔が少なくとも４つ設けられていることを特徴とする
卓球用ラッケット。
【請求項２】
グリップ部に設けられた複数の孔は、一点を支点としてそれぞれの孔の中心点が略円弧上に設けられたことを特徴とする請求項１記載の卓球用ラケット。
【請求項３】
グリップ部に設けられた複数の孔は、一点を支点としてそれぞれの孔の周面が略円弧上に設けられたことを特徴とする請求項１に記載の卓球用ラケット。
【請求項４】
ラケットの形状は平板状の打球面の先端からグリップ部の基端にかけての縦中心線を対象として左右対称であって、グリップ部の複数の孔は、前記中心線の線上を支点として、略円弧状に設けられたことを特徴とする請求項１ないし請求項３のいずれかに記載の卓球用ラケット。
【請求項５】
ラケットの形状は平板状の打球面の先端は略楕円形状を、また打球面の基端のグリップ部においては略楕円形状若しくは、両端が角取りをなされた直線状であることを特徴とする請求項１ないし請求項４のいずれかに記載の卓球用ラケット。
【請求項６】
グリップ部にはそれぞれの孔の周面の一部からグリップ部の基端にわたり、片面若しくは両面に貼着することで、グリップ部が手のひらに密着する形状となるグリップ部材を備え、ラケットを安定して保持できるように構成したことを特徴とする請求項１ないし請求項５のいずれかに記載の卓球用ラケット。
【発明の詳細な説明】
【技術分野】
【０００１】
本発明は、握力が弱い若しくは指に障害の有る人であっても容易に卓球を行なえると共に、卓球のボールを容易に捕らえやすい卓球用ラケットに関する。
【背景技術】
【０００２】
従来の卓球用ラケットは平板状の打球面の基端部に棒状のグリップ部が一体に連設されていて、その大別として２種類があり、グリップの形状によって「ペンホルダータイプ」「シェイクハンドタイプ」は既に知られているところである。
【０００３】
上記２種類のグリップ形状を持つ卓球用ラケットは掌と指によって終始握る動作を必要とすると共に、ラケットの打点が腕の延長上にはなりにくい握り方になっている。
【０００４】
また、特許文献１の公報のように打球面の基端部自体に取っ手型グリップを設け、打点が腕の延長上となる卓球用のラケットも既に公知である。
【０００５】
【特許文献１】特願平１１−２０３６０５号公報
【発明の開示】
【発明が解決しようとする課題】
【０００６】
従来の「ペンホルダータイプ」「シェイクハンドタイプ」の卓球用ラケットは打球面に対して縦方向に設けられたグリップ部を掌と指で握ることによって保持し、敏速に玉を打ち返す場合には、強く握り締めなければラケットが手から離れてしまう現象が発生してしまう。またグリップ部がラケットの縦方向に設けられているので、そのグリップ部を握ると腕の延長方向にラケットの打点は無く、ペンホルダータイプであれば腕より下方向に、シェイクハンドタイプであれば腕より上方向に打点が現われる。
【０００７】
卓球の初心者等であれば、打点は腕の延長上にあると当てやすいが、それより打点が上下にずれるとそれなりの慣れが必要となり訓練が重要となる。
【０００８】
また、握力の弱い人若しくは指に障害のある人等は、縦方向に設けられたグリップ部を握り締め、ラケットが手から離れないよう常に注意を払わなくてはならないばかりか、打点が腕の延長線より上下にずれているため、手首を曲げて打点を修正したりするのでラケットを握る作業以上の精神的な緊張が発生し、卓球自体を好意をもって行なえない印象をもたれかねない。
【０００９】
特許文献１では、打球面の基端部自体に取っ手型グリップを握ることによって、腕の延長線上に打点を容易に配置することは可能となったが、取っ手型グリップを握るだけであっては、ラケット自体がグリップ部を中心に前後方向に回転しやすいので、安定してラケットを保持できるとは言いがたい。
【００１０】
そこで本発明は、卓球の初心者または手の握力の弱い、若しくは指に障害がある競技者においても、卓球を容易にそして有意義に行なえるよう、弱い力であっても安定してラケットを保持し、手首を曲げることなく腕の略延長状に打点が自然と配置できるので卓球の玉をラケットの打点で捉えやすい卓球用のラケットを提供することを目的とする。
【課題を解決するための手段】
【００１１】
上記目的を達成するために、本発明は請求項１から請求項６に係る卓球用ラケットを提供するものである。
【００１２】
即ち、請求項１に係る卓球用ラケットは、平板状の打球面の基端部をグリップ部として構成した卓球用のラケットであって、グリップ部には、競技者の指が略隙間無く若しくは若干の余裕をもって一指づつ挿入する複数の孔が少なくとも４つ設けられていることを特徴とするものである。
【００１３】
請求項２に係る卓球用ラケットは、請求項１に記載の卓球用ラケットにおいて、グリップ部に設けられた複数の孔は、一点を支点としてそれぞれの孔の中心点が略円弧上に設けられたことを特徴とするものである。
【００１４】
請求項３に係る卓球用ラケットは、請求項１に記載の卓球用ラケットにおいて、グリップ部に設けられた複数の孔は、一点を支点としてそれぞれの孔の周面が略円弧上に設けられたことを特徴とするを特徴とするものである。
【００１５】
請求項４に係る卓球用ラケットは、請求項１ないし請求項３のいずれかに記載の卓球用ラケットにおいて、ラケットの形状は平板状の打球面の先端からグリップ部の基端にかけての縦中心線を対象として左右対称であって、グリップ部の複数の孔は、前記中心線の線上を支点として、略円弧状に設けられたことを特徴とするものである。
【００１６】
請求項５に係る卓球用ラケットは、請求項１ないし請求項４のいずれかに記載の卓球用ラケットにおいて、ラケットの形状は平板状の打球面の先端は略楕円形状を、また打球面の基端のグリップ部においては略楕円形状若しくは、両端が角取りをなされた直線状であることを特徴とするものである。
【００１７】
請求項６に係る卓球用ラケットは、請求項１ないし請求項５のいずれかに記載の卓球用ラケットにおいて、グリップ部にはそれぞれの孔の周面の一部からグリップ部の基端にわたり、片面若しくは両面に貼着することで、グリップ部が掌に密着する形状となるグリップ部材を備え、ラケットを安定して保持できるように構成したことを特徴とするものである。
【発明の効果】
【００１８】
本発明によれば、卓球のラケットのグリップ部を強く握り締めなくとも安定して卓球のラケットを保持できるばかりか、打球面の打点が腕の延長線上にあるので、卓球のボールを打点に当てやすくなるので、卓球の初心者、握力の弱い若しくは指に障害のある競技者であっても卓球を容易に好意をもっておこなう事ができる。
【発明を実施するための最良の形態】
【００１９】
図１には本発明の実施の形態に係る卓球用ラケットの正面図、図２には本発明の実施の形態の他例を示す卓球用ラケットの正面図、図３には本発明の実施の形態の他例を示す卓球用ラケットの正面図、図４には本発明の第２の実施の形態に係る卓球用ラケットの正面図、図５には第２の実施の形態に係る図２の他例を示す卓球用ラケットの正面図、図６には図５の第２の実施の形態の他例の側面図を示すものである。
【実施例１】
【００２０】
図１に示す本発明に係る卓球用ラケット１は平板状の打球面２は、略楕円形状の先端５と、ラケットの先端５から基端４までのラケットの縦中心となる中心線２２と平行な側面１３、側面１３と、側面１３に対して直角とはならない基端４の辺からなっていて、基端４の辺は側面１３と接する角が円弧の角取りとなっている。
【００２１】
なお、基端４は先端５と同様に略楕円形状であっても良い（図示せず）。
【００２２】
平板状の打球面２には、先端５方向から縦方向の半分以上をラバー６が貼りつけられており（片面若しくは両面）、基端４方向には、ラバー６と重なり合わない範囲にグリップ部３が設けられている。このグリップ部３には孔Ａ７・孔Ｂ８・孔Ｃ９・孔Ｄ１０の４つの孔が空けられていて、これらの孔は任意の支点Ａ１１を中心に半径Ｒ１２をもって、それぞれの孔の中心が略円弧状に設けられているものであって、競技者のそれぞれの指が、孔Ａ７には人差指が、孔Ｂ８には中指が、孔Ｃ９には薬指が、孔Ｄ１０には小指が挿入できるようになっているもので、それぞれの孔はそれぞれの指が略隙間なく若しくは若干の余裕をもって挿入できる大きさの孔となっている。
【００２３】
図１ではそれぞれの孔の中心点が半径Ｒ１２の略円弧状の線上に現われるのを示しているが、図２においては、それぞれの孔の設置位置は、孔の中心点と半径Ｒ１２の支点１１（支点１２）を直線で結んだ直線と、孔の周面が交差する基端４方向側の交点が半径Ｒ１２の略円弧状の線上に現われるものを、また図３においては、孔の中心点と半径Ｒ１２の支点１１（支点１２）を直線で結んだ直線と、孔の周面が交差する先端５方向側の交点が半径Ｒ１２の略円弧状の線上に現われるものを示している。
【００２４】
支点Ａ１１は孔Ａ７・孔Ｂ８・孔Ｃ９・孔Ｄ１０の４つの孔に人差指・中指・薬指・小指を挿入し、自然な状態で軽く競技者が握った時、側面１３と腕と平行状態になる地点に設けられていると良く、基端４も軽く握った状態で掌と何の支障もなく一体感があるように握れる辺若しくは略楕円形状であるとよい。
【００２５】
競技者は孔Ａ７・孔Ｂ８・孔Ｃ９・孔Ｄ１０の４つの孔に人差指・中指・薬指・小指をそれぞれ挿入し、親指を基端４側から軽く握ることでそれぞれの指はそれぞれの孔の周面に、そして掌は基端４と全て容易に密着するので、卓球用ラケット１と競技者の手との接触面積が従来のラケットよりも各段に多くなるので、多くの握力を必要とせずにラケットを安定して保持できるものである。
【００２６】
また、いくつかの孔に指を入れなくとも、挿入されているいくつかの指がしっかりラケットをホールドしているので、指に障害がある競技者であっても、容易にラケットを保持できるものである。
【００２７】
なお、それぞれの孔と基端を競技者が軽く握るだけで、側面１３・１３と腕が平行状態になり、打点１４が腕の延長線上に来るので初心者であっても打点１４に玉を当てることが可能であって、容易に卓球を楽しめることことができるものである。
【実施例２】
【００２８】
図４は本発明の第２の実施の形態を示す卓球用ラケットであって、平板状の打球面２は、略楕円形状の先端５と、ラケットの先端５から基端４までのラケットの縦中心となる中心線２２と平行な側面１３、側面１３と側面１３に対して直角となる基端４からなっていて、基端４の辺は側面１３と接する角が円弧の角取りとなっていると良く、卓球用ラケット１の全体の形状は、先端５から基端４の中心線２２を基準として、左右対称形状にある。
【００２９】
なお、基端４は側面１３と直角を保ちながらも先端５と同様に若干の略楕円形状であっても良い（図示せず）。
【００３０】
先端５方向から卓球用ラケット１の縦方向の半分以上をラバー６が貼りつけられており（片面若しくは両面）、基端４方向には、ラバー６と重なり合わない範囲にグリップ部３が設けられている。
【００３１】
このグリップ部３には孔Ｅ１６・孔Ｆ１７・孔Ｇ１８・孔Ｈ１９・孔Ｊ２０の５つの孔が空けられていて、これらの孔は卓球ラケット１の先端５から基端４にかけての縦方向の中心線２２の線上に支点Ｂ１５が設けられていて、上記の孔Ｅ１６〜孔Ｊ２０は半径Ｒ１２の略円弧状に配置されているものである。孔Ｅ１６〜孔Ｊ２０は半径Ｒ１２の略円弧状で打球面２上に配置されていれば良いが、極力孔Ｇが卓球ラケット１の先端５から基端４にかけての縦方向の中心線２２の線上に配置され、孔においても中心線２２を基準として左右対称に設けられていると良い。
【００３２】
なお、図４ではそれぞれの孔の中心点が半径Ｒ１２の略円弧状の線上に現われるのを示しているが、実施例１と同様に、それぞれの孔の設置位置は、孔の中心点と半径Ｒ１２の支点１２（支点１１）を直線で結んだ直線と、孔の周面が交差する基端４方向側の交点が半径Ｒ１２の略円弧状の線上に現われるものを、また孔の中心点と半径Ｒ１２の支点１１（支点１２）を直線で結んだ直線と、孔の周面が交差する先端５方向側の交点が半径Ｒ１２の略円弧状の線上に現われるものものであってもよい（図示せず）。
【００３３】
それぞれの孔は、競技者のそれぞれの指が、孔Ｆ１７には人差指が、孔Ｇ１８には中指が、孔Ｈ１９には薬指が、孔Ｊ２０には小指が、また使用する面を逆にした場合には、孔Ｈ１９には人差指が、孔Ｇ１８には中指が、孔Ｆ１７には薬指が、孔Ｅ１６には小指が挿入できるようになっているもので、それぞれの孔はそれぞれの指が略隙間なく若しくは若干の余裕をもって挿入できる大きさの孔となっている。
【００３４】
支点Ｂ１５は孔Ｅ１６・孔Ｆ１７・孔Ｇ１８・孔Ｈ１９・孔Ｊ２０の５つの孔に人差指・中指・薬指・小指を挿入し、自然な状態で軽く競技者が握った時、側面１３と腕と平行状態になる地点に設けられていると良く、基端４も軽く握った状態で掌と何の支障もなく一体感があるように握れる辺若しくは略楕円形状であるとよい。
【００３５】
競技者は孔Ｅ１６・孔Ｆ１７・孔Ｇ１８・孔Ｈ１９・孔Ｊ２０の５つの孔のどれかに人差指・中指・薬指・小指をそれぞれ挿入し、親指を基端４側から軽く握ることでそれぞれの指はそれぞれの孔の周面に、そして掌は基端４と容易に密着するので、卓球用ラケット１と競技者の手との接触面積が従来のラケットよりも各段に多くなるので、多くの握力を必要とせずにラケットを安定して保持できるものである。
【００３６】
また、いくつかの孔に指を入れなくとも、挿入されているいくつかの指がしっかりラケットをホールドしているので、指に障害がある競技者であっても、容易にラケットを保持できるものである。
【００３７】
なお、それぞれの孔と基端を競技者が軽く握るだけで、側面１３・１３と腕が平行状態になり、打点１４が腕の延長線上に来るので初心者であっても打点１４に玉を当てることが可能であって、容易に卓球を楽しめることことができるものである。
【００３８】
図４に示す卓球用ラケット１は先端５から基端４の縦方向の中心線を基準に孔及び形状とも左右対称であるから、右利き、左利きの競技者の利き腕の区別なく、また両面にラバー６を貼りつけることによって裏表の区別なく使用できるので、競技者を選ばす汎用性が増す特徴も有している。
【実施例３】
【００３９】
図５及び図６は本発明の第２の実施の形態の他例を示す卓球用ラケットであって、図４に示す本発明の第２の実施の形態に、孔Ｅ１６・孔Ｆ１７・孔Ｇ１８・孔Ｈ１９・孔Ｊ２０の５つの孔の周面の一部若しくは基端４方向に最も接近した孔の周面から基端４までのグリップ部３に両面にわたってグリップ部材２１を平面状の打球面に貼着させたものである。
【００４０】
図５及び図６においては、このグリップ部材２１を両面に貼りつけることによって、より一層掌とグリップ部３が密着する形状を成すようになっているが、グリップ部材２１はどちらか一方の面だけの貼着であっても、競技者の掌とグリップ部３の密着感が良ければ差し支えない（図示せず）。
【００４１】
グリップ部材２１は平板状の打球面２の部材より軟らかいものを使用すると良く、例えば、打球面２の部材が檜であった場合、グリップ部材２１はバルサ、コルク、桐等の比較的柔らかい部材を使用すると手に馴染み易くなるのでよい。
【００４２】
競技者は孔Ｅ１６・孔Ｆ１７・孔Ｇ１８・孔Ｈ１９・孔Ｊ２０の５つの孔のいずれかに、人差指・中指・薬指・小指を挿入すると同時に、親指を基端４側の人差指・中指・薬指・小指を挿入した面の反対側を軽く握ることでそれぞれの指はそれぞれの孔の周面に、そして掌はグリップ部３である基端４とグリップ部材２１により密着し、ホールド感をより高めるので容易な力でラケットを保持できるようになる。
【産業上の利用可能性】
【００４３】
本発明の卓球用ラケットにおいては、競技者による利き腕を選ばず、また初心者、握力の弱い、又は指に障害のある競技者であっても卓球のラケットを容易に安定して保持できるので、初心者の卓球への面白さの向上や、リハビリとしての球技運動や、障害者であっても卓球が楽しめるなどの利点を有することから、卓球を行なう人口が増し、卓球の発展に寄与できるものである。
【図面の簡単な説明】
【００４４】
【図１】本発明の実施の形態に係る卓球用ラケットの正面図。
【図２】本発明の実施の形態の他例を示す卓球用ラケットの正面図。
【図３】本発明の実施の形態の他例を示す卓球用ラケットの正面図。
【図４】本発明の第２の実施の形態に係る卓球用ラケットの正面図。
【図５】本発明の第２の実施の形態に係る他例を示す卓球用ラケットの正面図。
【図６】本発明の第２の実施の形態に係る他例を示す卓球用ラケットの側面図。
【符号の説明】
【００４５】
１  卓球用ラケット
２  打球面
３  グリップ部
４  基端
５  先端
６  ラバー
７  孔Ａ
８  孔Ｂ
９  孔Ｃ
１０  孔Ｄ
１１  支点Ａ
１２  半径Ｒ
１３  側面
１４  打点
１５  支点Ｂ
１６  孔Ｅ
１７  孔Ｆ
１８  孔Ｇ
１９  孔Ｈ
２０  孔Ｊ
２１  ブリップ部材
２２  中心線
【図１】
2005312579.tif 000003
【図２】
2005312579.tif 000004
【図３】
2005312579.tif 000005
【図４】
2005312579.tif 000006
【図５】
2005312579.tif 000007
【図６】
2005312579.tif 000008